(57)【特許請求の範囲】
【請求項１】
印刷媒体の用紙サイズに対応する２系列の係止溝群を設け、前記印刷媒体を収納する給紙装置であって、
印刷媒体載置面に設け、印刷媒体サイズを表示した２系列のサイズ表示部材と、
前記２系列の係止溝群を構成する第１系列の係止溝群および第２系列の係止溝群を設け、前記印刷媒体の給送方向にスライド可能な係止溝群スライド部材と、
前記第１系列の係止溝群および前記第２系列の係止溝群の何れか一方に係止し、前記印刷媒体の給送方向に対して直交方向にスライドが可能に前記印刷媒体を案内するガイド部材とを備え、
前記２系列のサイズ表示部材の一方を構成する第１系列のサイズ表示部材は、前記印刷媒体を収納する印刷媒体収納部の表面に設けられ、
前記２系列のサイズ表示部材の他方を構成する第２系列のサイズ表示部材は、前記係止溝群スライド部材の端部に設けられ、
前記係止溝群スライド部材の上方であって、前記第１系列のサイズ表示部材を表示可能な位置にカバー部材を設ける
ことを特徴とする給紙装置。
【請求項２】
前記ガイド部材は、前記係止溝群に係止する係止部材を設け、
前記第１系列の係止溝群を前記係止部材に対向させて係合すると、前記第１系列のサイズ表示部材の何れかの印刷媒体サイズが該係止部材の位置に応じて選択され、
前記第２系列の係止溝群を前記係止部材に対向させて係合すると、前記第２系列のサイズ表示部材のいずれかの印刷媒体サイズが該係止部材の位置に応じて選択される
ことを特徴とする請求項１に記載の給紙装置。
【請求項３】
印刷媒体の用紙サイズに対応する２系列の係止溝群を設け、前記印刷媒体を収納する給紙装置であって、
印刷媒体載置面に設け、印刷媒体サイズを表示した２系列のサイズ表示部材と、
前記２系列の係止溝群を構成する第１系列の係止溝群および第２系列の係止溝群の何れか一方に係止し、前記印刷媒体の給送方向に対して直交方向にスライドが可能に前記印刷媒体を案内するガイド部材とを備え、
前記ガイド部材は、前記係止溝群に係止する係止部材を設け、
前記第１系列の係止溝群を前記係止部材に対向させて係合すると、前記２系列のサイズ表示部材の一方を構成する第１系列のサイズ表示部材の何れかの印刷媒体サイズが該係止部材の位置に応じて選択され、
前記第２系列の係止溝群を前記係止部材に対向させて係合すると、前記２系列のサイズ表示部材の他方を構成する第２系列のサイズ表示部材の何れかの印刷媒体サイズが該係止部材の位置に応じて選択される
ことを特徴とする給紙装置。
【請求項４】
第１系列の前記係止溝群および第２系列の前記係止溝群を設け、前記印刷媒体の給送方向にスライド可能な係止溝群スライド部材をさらに備え、
第１系列の前記サイズ表示部材は、前記印刷媒体を収納する印刷媒体収納部の表面に設けられ、
第２系列の前記サイズ表示部材は、前記係止溝群スライド部材の端部に設けられ、
前記係止溝群スライド部材の上方であって、前記第１系列のサイズ表示部材を表示可能な位置にカバー部材を設ける
ことを特徴とする請求項３に記載された給紙装置。
【請求項５】
請求項１乃至請求項４の何れか一項に記載の給紙装置を用いた
ことを特徴とする画像形成装置。
【発明の詳細な説明】
【技術分野】
【０００１】
本発明は、印刷媒体を収納する給紙装置および画像形成装置に関する。
【背景技術】
【０００２】
従来の画像形成装置は、印刷媒体のサイズに合わせて、印刷媒体の給紙方向の左右両側を案内し、又は片側を案内するためのサイドガイドを底板に対して移動調節可能に装着した給紙装置（給紙トレイ）を備えている。
また、サイドガイドは、例えば、Ａ４やＡ５などの規定の印刷媒体幅の位置に移動させて、給紙トレイに設置された係止溝とサイドガイドに設置された係止爪とによって固定できるようになっている。
しかしながら、印刷媒体は、規定サイズであっても、裁断の誤差等から用紙の幅寸法に若干のばらつきが存在している。このため、従来の給紙装置は、サイドガイドが規定サイズ、つまり定形サイズの用紙幅に固定されても、例えば印刷媒体の寸法幅の方が若干大きくなる場合が存在する。これにより、給紙に際して移動する印刷媒体の側縁とサイドガイドの表面との間で擦れる摩擦抵抗が大きくなり、従来の画像形成装置は、この摩擦抵抗が紙ジャムの原因となるという問題があった。
【０００３】
そこで、収納した印刷媒体の幅寸法に若干のばらつきが存在しても、紙ジャムの発生を防止し、安定して画像形成を行うことが可能な画像形成装置が開示されている（特許文献１参照）。
この特許文献１に記載の画像形成装置は、給紙トレイの印刷媒体載置面上に２系列の係止溝群と、サイドガイドにある２系列の係止爪とを設け、２系列の係止溝群のうち、第１の係止溝群は収納する媒体の大きさに合わせて位置が決められている。また、第２の係止溝群は、第１の係止溝群からややずれた位置、例えば、０．５ｍｍずれた位置に設置されている。
また、印刷媒体の裁断寸法には誤差があり、実寸幅が規定サイズより大きい場合は、第２の係止溝群の溝にサイドガイドの係止爪が挿入され、規定サイズよりやや外側の位置にサイドガイドが固定される。これにより、特許文献１に記載の画像形成装置は、給紙に際して移動する印刷媒体の側縁とサイドガイドの表面との間で擦れる摩擦抵抗を緩和でき、紙ジャムの発生を防止することができる。
【先行技術文献】
【特許文献】
【０００４】
【特許文献１】特開２０１０−５２８５８号公報
【発明の概要】
【発明が解決しようとする課題】
【０００５】
ところで、画像形成装置の給紙トレイは、係止溝群の選択を容易にするために、給紙トレイ上面に用紙サイズ表示部が設置されている。ここで、給紙トレイは、用紙サイズ表示部が１列であると、表示部材の間隔が狭くなるために、用紙サイズ表示部の視認性が悪いという問題が生じる。また、その給紙トレイは、用紙ガイドをセットする溝の間隔も狭いために、使用者が誤った位置に用紙ガイドをセットするという問題もあった。
例えば、ＪＩＳによって定められたＢ５用紙と、ＡＮＳＩによって定められたエグゼクティブ用紙との幅方向の寸法を比較すると、Ｂ５用紙は１８２ｍｍであり、エグゼクティブ用紙は約１８４．１５ｍｍ（７．２５インチ）である。両者の寸法の差は２．１５ｍｍしかなく、給紙トレイに設けられるサイズ表示部は、両者の表示部材をごく近い位置に表示することになるため、使用者が用紙ガイドを誤った位置に設置してしまうこともある。また近年、中国規格紙への対応も要求されることがある。中国規格紙、例えば１６Ｋ用紙は幅方向の寸法が１９５ｍｍであり、前述のＢ５紙やエグゼクティブ紙のそれと近い大きさである。これらをひとつの給紙トレイに表示させようとすると、表示が煩雑になり、用紙サイズ表示部の視認性が悪化するという問題があった。
なお、この問題点は、誤った位置に用紙ガイドを設置する原因となる。また、誤った位置に用紙ガイドを設置することにより、用紙に適当な側圧が作用せず、スキューなどの印刷不良が発生するという問題もあった。
【０００６】
そこで、本発明は、前記問題点に鑑み創案されたものであり、例え、用紙サイズの違いが僅かな場合であっても、用紙サイズ表示部の視認性を向上させることができる給紙装置および画像形成装置を提供することを課題とする。
【課題を解決するための手段】
【０００７】
前記課題を解決した第１発明は、印刷媒体の用紙サイズに対応する２系列の係止溝群を設け、前記印刷媒体を収納する給紙装置であって、印刷媒体載置面に設け、印刷媒体サイズを表示した２系列のサイズ表示部材と、前記２系列の係止溝群を構成する第１系列の係止溝群および第２系列の係止溝群を設け、前記印刷媒体の給送方向にスライド可能な係止溝群スライド部材と、前記第１系列の係止溝群および前記第２系列の係止溝群の何れか一方に係止し、前記印刷媒体の給送方向に対して直交方向にスライドが可能に前記印刷媒体を案内するガイド部材とを備え、前記２系列のサイズ表示部材の一方を構成する第１系列のサイズ表示部材は、前記印刷媒体を収納する印刷媒体収納部の表面に設けられ、前記２系列のサイズ表示部材の他方を構成する第２系列のサイズ表示部材は、前記係止溝群スライド部材の端部に設けられ、前記係止溝群スライド部材の上方であって、前記第１系列のサイズ表示部材を表示可能な位置にカバー部材を設けることを特徴とする。
また、第２発明は、印刷媒体の用紙サイズに対応する２系列の係止溝群を設け、前記印刷媒体を収納する給紙装置であって、印刷媒体載置面に設け、印刷媒体サイズを表示した２系列のサイズ表示部材と、前記２系列の係止溝群を構成する第１系列の係止溝群および第２系列の係止溝群の何れか一方に係止し、前記印刷媒体の給送方向に対して直交方向にスライドが可能に前記印刷媒体を案内するガイド部材とを備え、前記ガイド部材は、前記係止溝群に係止する係止部材を設け、前記第１系列の係止溝群を前記係止部材に対向させて係合すると、前記２系列のサイズ表示部材の一方を構成する第１系列のサイズ表示部材の何れかの印刷媒体サイズが該係止部材の位置に応じて選択され、前記第２系列の係止溝群を前記係止部材に対向させて係合すると、前記２系列のサイズ表示部材の他方を構成する第２系列のサイズ表示部材の何れかの印刷媒体サイズが該係止部材の位置に応じて選択されることを特徴とする。
【０００８】
第１発明又は第２発明によれば、係止溝と用紙サイズ表示部材とを２系列に配し、近接する係止溝及びサイズ表示部材を別の列に配置することにより、サイズ表示部材の表示間隔を従来よりも広くすることができるため、サイズ表示部材の視認性が向上する。また、誤った位置に用紙ガイドが固定されることが防止される。これに伴って、用紙サイズに応じた規制位置に容易にセットすることができるようになり、操作性が向上する。また、正しい位置にサイドガイドを設置することができるので、用紙に適切な側圧が与えられ、スキューなどを防止することができる。また従来、用紙ガイドを所定の位置に設置したつもりでも、実際は隣の位置に固定されていることがあったが、このような不具合も解消できる。また、サイズ表示部材は、貼付、印刷や刻設により印刷媒体載置面に設けることができる。
【発明の効果】
【０００９】
本発明によれば、用紙サイズの違いが僅かな場合であっても、用紙サイズ表示部の視認性が向上できる。
【図面の簡単な説明】
【００１０】
【図１】本発明の給紙装置を備えた画像形成装置の概略を示す摸式図である。
【図２】本発明の第１の実施形態の給紙装置を示す斜視図である。
【図３】本発明の給紙装置のガイド部材の全景を示した拡大図であり、（ａ）は図２の左上方向から見た斜視図、（ｂ）は図２の右下方向から見た斜視図である。
【図４】図２に示すＧ部の底面の拡大図であり、（ａ）は第１系列のサイズ表示部の表示を示し、（ｂ）は第２系列のサイズ表示部の表示を示す平面図である。
【図５】（ａ）は図４（ａ）の平面図にカバー部材を設けた平面図、（ｂ）は（ａ）に示すＡ−Ａ線の断面図である。
【図６】（ａ）は図５に示すＨ部の拡大図であり、係止溝群の配置を示し、（ｂ）は（ａ）に示すＢ−Ｂ線の断面図である。
【図７】（ａ）は図５に示すＨ部の拡大図であり、係止溝群の配置を示し、（ｂ）は（ａ）に示すＣ−Ｃ線の断面図である。
【図８】係止溝スライド部材の位置を切り替える切替手段を示し、（ａ）はＡ系列のサイズ表示を示す平面図、（ｂ）は（ａ）に示すＤ−Ｄ線の断面図である。
【図９】係止溝スライド部材の位置を切り替える切替手段を示し、（ａ）はＢ系列のサイズ表示を示す平面図、（ｂ）は（ａ）に示すＥ−Ｅ線の断面図である。
【図１０】第２の実施形態のサイドガイドを示す平面拡大図である。
【発明を実施するための形態】
【００１１】
以下、図面を参照して、本発明の実施の形態（以下、「第１の実施形態」と称する）につき詳細に説明する。また、各図において、共通する構成要素や同様な構成要素については、同一の符号を付し、それらの重複する説明を省略する。
【００１２】
(第１の実施形態)
図１は、本発明の給紙装置を備える画像形成装置の概略を示す摸式図である。
図１に示すように、画像形成装置９００は、その下部には印刷媒体（例えば、用紙、プラスチック板、フィルム等）Ｐが積載される給紙装置としての給紙トレイ１００が配設されている。給紙トレイ１００は、印刷媒体（以下、用紙）Ｐを収納する印刷媒体収納部１０１と、その給送側に用紙Ｐを１枚ずつ給送する用紙給送部２００とが設けられている。この用紙給送部２００は、ある高さまで上昇した用紙Ｐに圧接するよう設けられたピックアップローラ２０２と、このピックアップローラ２０２により給送された用紙Ｐを１枚ずつに分離するフィードローラ２０３と分離片２０４とが設けられている。
【００１３】
図１に示す画像形成装置９００は、その右側の中腹には、その部材上面に用紙Ｐが積載される手差しトレイ３００が配置されている。手差しトレイ３００は、その給送側に用紙Ｐを１枚ずつ給送する用紙給送部４００が設けられ、前記給紙トレイ１００と同様に、ピックアップローラ４０２、フィードローラ４０１および分離片４０３が設けられている。
用紙搬送部５００は、用紙給送部２００および用紙給送部４００から１枚にさばかれて給送された用紙Ｐを画像形成部６００に搬送する。この用紙Ｐを搬送するため、搬送ローラ対５０１，５０２が上下方向に一対配設されている。
【００１４】
画像形成部６００は、搬送方向に並べられた４つのトナー像形成部６３０と、４つの露光装置としての光ヘッド６４０と、転写部６６０と、定着部７００とを備えて構成されている。
トナー像形成部６３０は、感光ドラム６３１と、帯電ローラ６３２と、現像ローラ６３３と、供給ローラ６３４と、トナーカートリッジ６３５とを備える。トナー像形成部６３０は、供給ローラ６３４がトナーカートリッジ６３５から供給された現像剤（トナー）を現像ローラ６３３に供給する。一方、トナー像形成部６３０は、帯電ローラ６３２により感光ドラム６３１を帯電させ、光ヘッド６４０により回転する感光ドラム６３１の表面に静電潜像を書き込む。トナー像形成部６３０は、感光ドラム６３１，現像ローラ６３３，供給ローラ６３４にバイアス電圧が印加されており、現像ローラ６３３と静電潜像との間の電位差（電界）の作用により、現像剤（トナー）が静電潜像に移動し、静電潜像が現像することにより、トナー像が感光ドラム６３１上に現れる。
【００１５】
転写部６６０は、転写ベルト６６１と４つの転写ローラ６６４と駆動ローラ６６２と従動ローラ６６３とを備え、転写ローラ６６４は、正の高電圧（例えば、２０００Ｖ）にバイアスされており、トナー像形成部６３０により形成されたトナー像を用紙Ｐの上面にクーロン力により転写する。
定着部７００は、ハロゲンランプを内蔵した加熱ローラ７０１と加圧ローラ７０２とを備え、転写部６６０で用紙上に転写されたトナー像を用紙Ｐに熱と圧力により定着するために設けられている。
排出ローラ対８０３，８０４は、定着部７００で定着された用紙Ｐを排出するため、転写部６６０の近傍に配置されている。さらに、排出ローラ対８０３，８０４から排出口８０５を通り、積載部８０６に印刷済み用紙Ｐａが排出される。
積載部８０６は、前記排出口８０５から排出された印刷された印刷済み用紙Ｐａを堆積するための凹部形状のスペースである。
【００１６】
図２は、本発明の第１の実施形態の給紙装置を示す斜視図である。
なお、本実施形態において、用紙は図２に示す白抜きの矢印（給送方向）の方向に給送される。
図２に示すように、給紙トレイ１００は、前記した用紙Ｐを収納する印刷媒体収納部１０１および用紙給送部２００（図１）を有し、さらに、用紙Ｐの幅方向の位置を案内、規制する左右のガイド部材１１０，１２０と、用紙Ｐの後端を規制するテールガイド１３０とが設けられている。また、給紙トレイ１００は２系列の用紙Ｐのサイズを表示するサイズ表示部材１４４と、スライド可能な係止溝スライド部材１４０と、１系列の用紙サイズ部を覆い隠すカバー部材１５０（図５参照）と、を備えている。
【００１７】
≪ガイド部材の構成≫
図２に示すように、ガイド部材は、左サイドガイド１１０（左ガイド部材）と、右サイドガイド１２０（右ガイド部材）から構成されている。ガイド部材は、略Ｌ形に形成されており、略Ｌ形の直立面で用紙の幅方向の位置を案内し、規制する。ガイド部材は、そのガイド面が収納された用紙の給送方向と同一方向を向き、その移動方向が給紙方向に対して直交する方向にレール部１０２，１０３が配設されて、用紙の幅方向にスライド自在になっている。
なお、ガイド部材１１０，１２０の下部には図示しない部材が設けられ、ガイド部材１１０，１２０がレール部１０２，１０３から抜けないように抜け止めが施されている。
ガイド部材１１０，１２０は、各用紙サイズに合わせて配置する仕切り板の役目をする。
【００１８】
≪ガイド部材、係止部材の構成≫
図３は、本発明の給紙装置のガイド部材の全景を示した拡大図であり、図３（ａ）はサイドガイド１１０を図２の左上方向から見た斜視図であり、図３（ｂ）は図２の右下方向から見た斜視図である。
【００１９】
また、図３に示すように、係止部材１１１は、位置決め、および固定をするものであり、例えば、左サイドガイド１１０の下面に設けられた２つの係止爪１１１Ａ，１１１Ｂから構成されている。
この係止爪１１１Ａは、先端がクサビ状に形成されており、後記する被係止部１４５（第３の係止溝群１０７，第１の係止溝群１４２，第２の係止溝群１４３）の溝に挿着される。また、係止部材１１１（係止爪１１１Ａ，１１１Ｂ）は、レバー１１２の把持により、図示しない機構により上下方向に移動自在になっている。
【００２０】
その結果、図３（ｂ）に示す係止爪１１１Ｂは、図８（ａ）に示す第３の係止群１０７と係合し、図３（ｂ）に示す係止爪１１１Ａは、Ａ系列のサイズ表示を示す図８（ａ）の第２の係止溝群１４３と係合する。
一方、Ｂ系列のサイズ表示を示す図９（ａ）では、図３（ｂ）に示す係止爪１１１Ｂは、同様に、図８（ａ）に示す第３の係止群１０７と係合し、図３（ｂ）に示す係止爪１１１Ａは、図９（ａ）に示す第１の係止溝群１４２と係合する。
なお、使用者がレバー１１２を把持し、係止爪１１１Ａ，１１１Ｂを上方向に移動することにより、係合が解除される。また、その反対に、使用者の把持が解放されると、図示しないコイルばねの付勢力により係止爪１１１Ａ，１１１Ｂが下方に押し付けられ、第１の係止溝群１４２、第２の係止溝群１４３の溝に係合し、位置決めされ、固定される。
【００２１】
図２に示すように、左サイドガイド１１０と右サイドガイド１２０との双方は、図示せぬラック及びピニオンギヤにより連結されており、サイドガイド１１０を操作すると、サイドガイド１２０も連動して移動するようになっている。
したがって、サイドガイド１２０の下面には係止溝は形成されていない。
【００２２】
≪テールガイドの構成≫
図２に示すように、テールガイド１３０は、用紙Ｐの後端を規制するためのガイド部材である。テールガイド１３０は、給紙方向にレール部１０４が配設されて、レール部１０４上をスライドが可能になっている。
図３に示すように、前記した左サイドガイド１１０の下面の２つの係止爪１１１Ａ，１１１Ｂと同様に、テールガイド１３０の下面にも２つの係止爪１１１Ａ，１１１Ｂが設けられている。レバー１１２による係止爪１１１Ａ，１１１Ｂの上下の動作は前記した記載と同様であるので、重複する説明は省略する。
【００２３】
≪係止溝群の構成≫
図４は、図２に示すＧ部の底面の拡大図で、カバー部材１５０を２点鎖線で示して係止溝スライド部材１４０の全貌を示す平面図であり、図４（ａ）は、Ｂ系列である第１系列のサイズ表示部１０８の表示と、係止溝スライド部材１４０の位置関係を示し、図４（ｂ）は、Ａ系列である第２系列のサイズ表示部１４１の表示と、係止溝スライド部材１４０の位置関係を示す平面図である。
図４（ｂ）に示すように、係止溝スライド部材１４０は、ハッチング部で示すように、矩形シート状の薄板である。この矩形の薄板の上右隅には、小片のツマミ部１４０ａが形成されている。このツマミ部１４０ａには、親指と人差し指で摘むことができる凸状のツマミ１４０ｂが形成されている。
また、係止溝スライド部材１４０の後端側には、Ａ系列である第２系列のサイズ表示部１４１の表示部材が貼付されている。また、係止溝スライド部材１４０の前端側には２系列の係止溝群１４２，１４３が形成されている。また、第１系列のサイズ表示部１０８の表示部材は、図４（ａ）に示すように、印刷媒体収納部１０１（図２）の底板１０６に貼付されている。なお、第１系列のサイズ表示部１０８の表示、第２系列のサイズ表示部１４１の表示は、貼付の他に、印刷または刻設であってもよい。
【００２４】
図５は、図４（ａ）の平面図にカバー部材を設けた平面図で、Ｂ系列のサイズ表示を示し、図５（ｂ）は（ａ）に示すＡ−Ａ線の断面図である。
図５（ａ）に示すように、係止溝スライド部材１４０の上面には、カバー部材１５０が配置されている。後記するカバー部材１５０は、不透明な薄板から形成され、両端が給紙トレイ１００の本体１０６の側面と底面に一体に固定されている。Ｂ系列のサイズ表示を示す場合は、Ａ系列のサイズ表示を示す第１系列のサイズ表示部１４１がこのカバー部材１５０によって覆われ、表示されない。これに伴い、第１系列のサイズ表示部１０８が表示される。
第１系列のサイズ表示部１０８は、給紙トレイ１００の本体の底板１０６にＢ６、Ｂ５等の表示部材が貼付されている。また、第１系列のサイズ表示部１０８は、各種Ｂサイズの他に、用紙の縦置き、横置き等が判るように、絵文字で表示されている。
【００２５】
図５（ｂ）に示すように、係止溝スライド部材１４０は、給紙トレイ１００の本体とは別体の部材である。係止溝スライド部材１４０は、給紙トレイ１００の本体の底板１０６と、カバー部材１５０との間に配置されている。給紙トレイ１００の本体の底板１０６に、スライド溝１０９（後述の図６参照）が設けられている。係止溝スライド部材１４０は、このスライド溝１０９に遊嵌して用紙Ｐの給送方向の後端側と前端側との何れかの方向へスライドする。
図５（ａ）に示すように、係止溝スライド部材１４０は、第２系列のサイズ表示部１４１と、２系列の係止溝群１４２，１４３と、を備えている。
２系列の係止溝群１４２，１４３とは、第１の係止溝群１４２，第２の係止溝群１４３であり、係止溝スライド部材１４０の前端側に形成されている。
【００２６】
≪サイズ表示部材の構成≫
サイズ表示部材１４４は、図４（ａ）に示すように、Ｂ系列のサイズ表示を示す第１系列のサイズ表示部１０８と、Ａ系列のサイズ表示を示す第２系列のサイズ表示部１４１との２系列の表示部材から構成されている。
Ｂ系列のサイズ表示を示す第１系列のサイズ表示部１０８の表示部材は、図５（ａ）、（ｂ）に示すように、給紙トレイ１００の本体の底板１０６の上面に、貼付されている。
Ａ系列のサイズ表示を示す第２系列のサイズ表示部１４１の表示部材は、図５（ｂ）に示すように、スライドが可能な係止溝スライド部材１４０の後端側に貼付されている。
つまり、第１系列のサイズ表示部１０８はスライドしない。第２系列のサイズ表示部１４１が前後方向へスライドする。第２系列のサイズ表示部１４１が後端側方向へスライドすることにより、第１系列のサイズ表示部１０８を覆い隠すことができるようになっている。
【００２７】
≪カバー部材の構成≫
カバー部材１５０は、図２、図５に示すように、幅の狭い長尺のカバー部材であり、給紙トレイ１００に一体に形成されている。カバー部材１５０は、前記したスライド可能な係止溝スライド部材１４０の上面に設けられ、前後方向へスライド可能に移動する係止溝スライド部材１４０とは干渉することなく若干の隙間を有して配置されている。カバー部材１５０は不透明板であり、カバー部材１５０の下面の係止溝スライド部材１４０の文字は見えない。カバー部材１５０は、係止溝スライド部材１４０の約１／３の面積を覆うことができる幅を有している。
【００２８】
図６（ａ）は、図５に示すＨ部の拡大図であり、係止溝群の配置を示し、図６（ｂ）は図６（ａ）に示すＢ−Ｂ線の用紙幅方向の断面図である。
図６（ａ）に示すように、係止溝群１４２（１４３）は、第１の係止溝群１３１、この定型サイズ用の溝１３２、第２の係止溝群１３３の３種類により構成されている。図６（ｂ）に示すように、定型サイズ用の溝１３２は、第１の係止溝群１３１と、第２の係止溝群１３３に比較してサイズが大きく、より深い溝が形成されている。定型サイズ用の溝１３２は、例えば、Ｂ６、Ｂ５、Ｂ４の定形サイズ用であり、サイドガイド１１０を容易に位置決めする。また、定型サイズの溝１３２をより大きくし、隣接する溝との間隔をより広くとることによって、誤った位置への固定を防止する。
第１の係止溝群１３１，第２の係止溝群１３３は、定型サイズ用の溝１３２と比較して判るように、サイズは小さく、浅い溝が隣接して形成している。第１の係止溝群１３１，第２の係止溝群１３３は、後述する第３の係止溝群１０７とともに、１ｍｍ単位に刻まれた溝を持ち、ユーザ所望の不定形サイズの用紙に対応できるようにしている。
また、図６（ｂ）に示すように、給紙トレイ１００の本体の底板１０６の表面にスライド溝１０９が形成され、係止溝スライド部材１４０は、底板１０６をスライドするように構成されている。
【００２９】
図７（ａ）は、前記同様に図５に示すＨ部の拡大図であり、係止溝群の配置を示し、図７（ｂ）は図７（ａ）に示すＣ−Ｃ線の断面図である。
図７に示すように、定型サイズの係止溝１３２と係止爪１１１Ａとの係合状態の断面は、くさび状に形成されている。また、係止爪１１１Ａの先端部は、左右の両端が３０度の傾斜面でガイドされている。これにより、サイドガイド１１０が第１の係止溝群１３１，１３２，第２の係止溝群１３３に係合した状態であっても、用紙給送方向に係止溝スライド部材１４０のスライドが可能である。
【００３０】
なお、第３の係止群１０７（図４参照）には、第１の係止溝群１３１または第２の係止溝群１３３に対応する小さな溝と、第１の係止溝群１３１または第２の係止溝群１３３のいずれにも該当しない溝が等ピッチで配されている。このため、第１の係止溝群１３１または第２の係止溝群１３３に該当するサイズの位置決めを２箇所で行うことで良好にできる。また、第１の係止溝群１３１または第２の係止溝群１３３のいずれにも該当しない不定形サイズの用紙も第３の係止溝群１０７の１箇所を使用して位置決めすることができ都合がよい。これにより、用紙を収納する際、用紙サイズを確認しながらサイドガイド１１０を、用紙サイズに応じた位置にセットすることができ、操作性と視認性とが向上する。
本実施形態では、一例として第１のサイズ群にＢ４、Ｂ５のようなＢ系列のサイズ表示を、第２のサイズ群にＡ４、Ａ５のようなＡ系列のサイズ表示を配置している（図４参照）。
【００３１】
図８は係止溝スライド部材の位置を切り替える切替手段を示し、図８（ａ）はＡ系列のサイズ表示を示す平面図であり、図８（ｂ）は図８（ａ）に示すＤ−Ｄ線の断面図である。同様に、図９（ａ）はＢ系列のサイズ表示を示す平面図であり、図９（ｂ）は（ａ）に示すＥ−Ｅ線の断面図である。
図９（ｂ）に示すように、第１系列のサイズ表示部１０８は、給紙トレイ１００の本体の底板１０６の上面が太線で示すように窪みになっており、この窪みにＢ４、Ｂ５等のＢ系列のサイズ表示部材が貼付されている。また、給紙トレイ１００の本体の底板１０６に６本のスライド溝１０９が形成されている。
さらに、図６（ｂ）に示すように、このスライド溝１０９に係止溝スライド部材１４０の裏面に設けられた凸状のスライド部１３４が遊嵌されている。
【００３２】
また、図８（ａ）に示すように、給紙トレイ１００の本体の底板１０６と、係止溝スライド部材１４０の右端面（給紙トレイ１００の幅方向中心側）には、位置決め用の凹部ｃと凸部ｄとが形成されている。
つまり、給紙トレイ１００は、本体の底板１０６に位置決め用の凹部ｃが２個形成され、係止溝スライド部材１４０の右端面に、凹部ｃに係合する凸部ｄが１個形成されている。
凹部ｃと凸部ｄとの係合は、係止溝スライド部材１４０のズレ防止である。
また、係止溝スライド部材１４０の右上隅にツマミ部１４０ａが設けされている。このツマミ部１４０ａには、突起状のツマミ１４０ｂが設けられている。このツマミ１４０ｂを指で摘んで押し上げ、係止溝スライド部材１４０の後端側の端部が給紙トレイ１００の本体の底板１０６に当接して位置決めをする。または、このツマミ１４０ｂを押し下げることにより、係止溝スライド部材１４０の前端側の端部が給紙トレイ１００の本体の底板１０６に当接して位置決めをする。このとき、係止溝スライド部材１４０が容易に弾性変形し、係止溝スライド部材１４０を凹部ｃから凹部ｃまでの１ピッチｐ分、スライドさせることができる。これが係止溝スライド部材１４０の位置を切り替える切替手段である。
【００３３】
したがって、係止溝スライド部材１４０は、図８（ａ）、図９（ａ）に示すツマミ部１４０ａのツマミ１４０ｂの切替手段により、後端側、または、前端側の方向に、進退自在に摺動することができ、係止溝スライド部材１４０の位置を切り替えることができる。
【００３４】
≪用紙サイズの選択≫
用紙サイズのＡ系列、Ｂ系列の選択は、係止溝スライド部材１４０のスライドで決まる。
≪Ａ系列の用紙サイズ≫
図８（ａ）に示すように、用紙サイズのＡ系列は、操作者が係止溝スライド部材１４０を後端側にスライドさせ、第２のサイズ表示部１４１の中から用紙サイズを選択する。
なお、図８（ａ）に示す係止溝スライド部材１４０の第２系列のサイズ表示部１４１は、右から順にＡ６縦置き、Ａ５縦置き、ＥＸＥＣ（エグゼクティブ）、ＬＥＧＡＬ（リーガル）、８Ｋ、Ａ４横置き、Ａ３縦置き等の７種類の用紙が収納できる。
【００３５】
ここで、給紙トレイ１００の係止溝スライド部材１４０のセット動作を説明する。
≪Ａ系列の用紙を収納する場合≫
操作者は係止溝スライド部材１４０の突起状のツマミ１４０ｂを指で摘んで、係止溝スライド部材１４０を後端側（図８（ａ）の上方向）に当接位置までスライドさせて位置決めし、凹部ｃに係止溝スライド部材１４０の凸部ｄを係合させて固定する。
係止溝スライド部材１４０を後端側へスライドした場合、図８（ｂ）に示すように、第１系列のサイズ表示部１０８は、係止溝スライド部材１４０の下になって覆い隠されて、非表示となる。
この結果、給紙トレイ１００の上面には、Ａ系列の第２系列のサイズ表示部１４１だけが表示される。また、カバー部材１５０は、係止溝スライド部材１４０の第１の係止溝群１４２の上面を覆い隠す状態になる。
収納する用紙のサイズを第２のサイズ表示部の中から用紙サイズを選択する。
【００３６】
≪Ｂ系列の用紙を収納する場合≫
図９（ａ）に示すように、操作者は係止溝スライド部材１４０の突起状のツマミ１４０ｂを摘んで、係止溝スライド部材１４０を前端側に当接位置までスライドさせて位置決めし、凹部ｃに係止溝スライド部材１４０の凸部ｄを係合させて固定する。
係止溝スライド部材１４０を前端側へスライドした場合、図９（ｂ）に示すように、係止溝スライド部材１４０がカバー部材１５０の下になって覆い隠されて、非表示となる。
この結果、給紙トレイ１００の上面には、Ｂ系列の第１系列のサイズ表示部１０８だけが表示される。
操作者は収納する用紙のサイズを第１系列のサイズ表示部１０８の中から選択する。
したがって、本実施形態の給紙トレイ１００は、第１系列のサイズ表示部１０８が表示される場合は第２系列のサイズ表示部１４１が非表示となり、第２系列のサイズ表示部１４１が表紙される場合は第１系列のサイズ表示部１０８が非表示となる。
【００３７】
操作者はこの係止溝スライド部材１４０をセットした後、サイドガイド１１０のレバー１１２（図３参照）を握り、例えば、Ａ系列の第１のサイズ表示部１４１において、例えば、Ａ４横置きを選択し、Ａ４の位置にサイドガイド１１０を移動させた後、レバー１１２を離す。そうすると、係止爪１１１Ａおよび係止爪１１１Ｂが下方に図示しないばねによって付勢され、係止爪１１１Ａおよび係止爪１１１Ｂと、係止溝１４３および係止溝１０７とが係合し、サイドガイド１１０が位置決めされる。サイドガイド１２０は前記したように、サイドガイド１１０とは図示しないラック及びピニオンギヤにより連結されており、サイドガイド１１０を操作すると同時に、サイドガイド１２０も連動して移動し、連動して位置決めがされる。
サイドガイド１１０、１２０による幅決めが完了した後、図２に示すテールガイド１３０を移動し、表示されているサイズ表示の、例えば同様にＡ４横置きを選択し、Ａ４の位置に合わせてセットし、丈決めをする。
そして、図１に示すように、給紙トレイ１００に用紙を載置する。
【００３８】
（第２の実施形態）
図１０は、第２の実施形態のサイドガイドを示す平面拡大図である。
図１０に示すように、第２の実施形態におけるサイドガイド１１０は、第１の実施形態の用紙サイズ指示部１１３（図３（ａ）参照）と比較して、拡張により見やすく、より大きくしている。用紙サイズ指示部１１３の拡張によって、サイズ表示部１４１の一部を覆い隠すように形成されている。
なお、第２の実施形態においては、このサイドガイド１１０の用紙サイズ指示部１１３が第１の実施形態におけるカバー部材１５０の代替部材であるため、用紙サイズ部カバー部材１５０は使用しない。
その他の構成は、第１の実施形態と同じであるため、重複する説明は省略する。
【００３９】
第２の実施形態の動作を説明する。
係止溝スライド部材１４０やサイドガイド１１０の動作については、第１の実施形態と同様である。第１の実施形態においては、係止溝スライド部材１４０を給紙トレイ前端側にスライドした場合、第２系列のサイズ表示部１４１はカバー部材１５０によって覆い隠されていたが、第２の実施形態では、サイドガイド１１０の用紙サイズ指示部１１３が第２系列のサイズ表示部１４１を斜めに横切るようになっており、第２系列のサイズ表示部１４１の一部分を覆い隠すようになっている。
【００４０】
第２の実施形態の効果を説明する。
操作者が第２系列のサイズ表示部１４１を選択しない場合においても第２系列のサイズ表示部１４１を覆い隠さず表示することにより、第１のサイズ表示部１０８、第２のサイズ表示部１４１の、どの位置にどの用紙サイズ表示部分があるかを容易に確認することができ、視認性、操作性をより向上させることができる。
また、サイドガイド１１０の用紙サイズ指示部１１３の１辺が第２系列のサイズ表示部１４１を斜めに横切ることにより、使用されない表示部であることを示すことができる。
【００４１】
なお、本発明はその技術的思想の範囲内で種々の改造、変更が可能である。
本発明は、例えば、印刷媒体を収納する印刷媒体収納部を設けた給紙装置とは、複合機、複写機、ファクシミリ、プリンタ等に限定されるものではなく、画像形成装置のすべてを網羅するものである。
【符号の説明】
【００４２】
１００  給紙装置（給紙トレイ）
１０１  印刷媒体収納部
１０２，１０３，１０４  レール部
１０６  本体（底板）
１０７  第３の係止溝群（係止溝）
１０８  第１系列のサイズ表示部（サイズ表示部材）
１０９  スライド溝
１１０  左サイドガイド（左ガイド部材）
１２０  右サイドガイド（右ガイド部材）
１１１  係止部材
１１１Ａ，１１１Ｂ  係止爪（係止部）
１１２  レバー
１１３  用紙サイズ指示部（カバー部材）
１３０  テールガイド
１３１  第１の係止溝群
１３２  定型サイズ用の溝
１３３  第２の係止溝群
１３４  スライド部
１４０  係止溝スライド部材（係止溝群スライド部材）
１４０ａ  ツマミ部
１４０ｂ  ツマミ
１４１  第２系列のサイズ表示部（サイズ表示部材）
１４２  第１の係止溝群（第１系列の被係止部、係止溝群）
１４３  第２の係止溝群（第２系列の被係止部、係止溝群）
１４４  サイズ表示部材（１０８，１４１）
１４５  係止溝群（被係止部）
１５０  カバー部材
２００  用紙給送部
３００  手差しトレイ
６３０  トナー像形成部（現像装置）
６３１  感光ドラム（像担持体）
６３２  帯電ローラ（帯電手段）
６３３  現像ローラ（現像手段）
６３４  供給ローラ（現像剤供給手段）
６３５  トナーカートリッジ
６４０  光ヘッド（露光装置）
６６０  転写部
６６１  転写ベルト
６６２  駆動ローラ
６６３  従動ローラ
６６４  転写ローラ
７００  定着部
７０１  加熱ローラ
７０２  加圧ローラ
９００  画像形成装置
ｃ  凹部
ｄ  凸部
【図１】
0005723266.tif 000002
【図２】
0005723266.tif 000003
【図３】
0005723266.tif 000004
【図４】
0005723266.tif 000005
【図５】
0005723266.tif 000006
【図６】
0005723266.tif 000007
【図７】
0005723266.tif 000008
【図８】
0005723266.tif 000009
【図９】
0005723266.tif 000010
【図１０】
0005723266.tif 000011